(57)【要約】【課題】本来特定の距離において発生するヌル現象が防止でき、その結果安定で信頼性の高いＩＣカード通信を実現することが可能な通信装置および情報機器を提供する。【解決手段】誤り検出回路２４０が信号誤りを検出したときには、アンテナ回路２１０の通信にかかわる構成素子であるアンテナコイル２１１のインダクタンスＬ１１、キャパシタ２１３の容量Ｃ１１、ＲＬＣ整合回路のコイルやキャパシタ、抵抗の何れかの素子値を所定量変化させるように制御する。【選択図】図８
2008017012.tif 000002
【特許請求の範囲】
【請求項１】
少なくともアンテナインダクタを通信にかかわる構成素子として含むアンテナ回路と、
上記アンテナ回路のアンテナインダクタを駆動するために当該アンテナ回路に接続され、所定周波数のキャリアを発生するキャリア信号源と、
上記アンテナインダクタに誘起された信号を受信し復調する信号受信回路と、
上記信号受信回路の復調出力の信号誤りを検出する機能を有する誤り検出回路と、を備え、
上記アンテナ回路は、上記構成素子の少なくとも一つの素子値が変更可能に形成され、
上記誤り検出回路は、信号誤りを検出したときに、上記アンテナ回路の通信にかかわる構成素子の少なくともいずれか一つの素子値を所定量変化させるように制御する
通信装置。
【請求項２】
上記誤り検出回路は、上記信号受信回路の復調信号の波形品質の良否を判定して、当該波形品質が良い状態でないと判定した場合に上記素子値を所定量変化させるように制御する
請求項１記載の通信装置。
【請求項３】
上記誤り検出回路は、受信信号内のデータに誤りがあるか否かを判定して、データ誤りがある場合に上記素子値を所定量変化させるように制御する
請求項１記載の通信装置。
【請求項４】
上記誤り検出回路は、信号の送受信の内容・履歴から受信の失敗を判定して、受信の失敗であると判定した場合に上記素子値を所定量変化させるように制御する
請求項１記載の通信装置。
【請求項５】
上記誤り検出回路は、
上記信号受信回路の復調信号の波形品質の良否を判定して、当該波形品質が良い状態でないと判定した場合に上記素子値を所定量変化させるように制御する第１の処理部、
受信信号内のデータに誤りがあるか否かを判定して、データ誤りがある場合に上記素子値を所定量変化させるように制御する第２の処理部、および
信号の送受信の内容・履歴から受信の失敗を判定して、受信の失敗であると判定した場合に上記素子値を所定量変化させるように制御する第３の処理部、
のうち、少なくとも一つの処理部を有する
請求項１記載の通信装置。
【請求項６】
上記アンテナ回路は、
上記アンテナインダクタと同調回路を形成する同調キャパシタを有し、
上記誤り検出回路は、信号誤りを検出したときに、上記アンテナインダクタのインダクタンス、および上記同調キャパシタの容量のうち、少なくともいずれかの値を所定量変化するように制御する
請求項１記載の通信装置。
【請求項７】
上記アンテナ回路は、上記アンテナインダクタと上記キャリア信号源に接続された整合回路を含み、
上記整合回路は、インダクタ、キャパシタ、および抵抗のうちの少なくとも一つの構成素子を含み、
上記誤り検出回路は、信号誤りを検出したときに、上記アンテナインダクタのインダクタンス、上記同調キャパシタの容量、および整合回路の少なくとも一つの構成素子の素子値のうち、少なくともいずれかの値を所定量変化するように制御する
請求項６記載の通信装置。
【請求項８】
上記アンテナ回路が受信する信号には負荷変調信号を含む
請求項１から７のいずれか一に記載の通信装置。
【請求項９】
情報処理機能を有する情報機器であって、
リーダライタ機能を有する通信装置を含み、
上記通信装置は、
少なくともアンテナインダクタを通信にかかわる構成素子として含むアンテナ回路と、
上記アンテナ回路のアンテナインダクタを駆動するために当該アンテナ回路に接続され、所定周波数のキャリアを発生するキャリア信号源と、
上記アンテナインダクタに誘起された信号を受信し復調する信号受信回路と、
上記信号受信回路の復調出力の信号誤りを検出する機能を有する誤り検出回路と、を備え、
上記アンテナ回路は、上記構成素子の少なくとも一つの素子値が変更可能に形成され、
上記誤り検出回路は、信号誤りを検出したときに、上記アンテナ回路の通信にかかわる構成素子の少なくともいずれか一つの素子値を所定量変化させるように制御する
情報機器。
【請求項１０】
上記誤り検出回路は、上記信号受信回路の復調信号の波形品質の良否を判定して、当該波形品質が良い状態でないと判定した場合に上記素子値を所定量変化させるように制御する
請求項９記載の情報機器。
【請求項１１】
上記誤り検出回路は、受信信号内のデータに誤りがあるか否かを判定して、データ誤りがある場合に上記素子値を所定量変化させるように制御する
請求項９記載の情報機器。
【請求項１２】
上記誤り検出回路は、信号の送受信の内容・履歴から受信の失敗を判定して、受信の失敗であると判定した場合に上記素子値を所定量変化させるように制御する
請求項９記載の情報機器。
【請求項１３】
上記誤り検出回路は、
上記信号受信回路の復調信号の波形品質の良否を判定して、当該波形品質が良い状態でないと判定した場合に上記素子値を所定量変化させるように制御する第１の処理部、
受信信号内のデータに誤りがあるか否かを判定して、データ誤りがある場合に上記素子値を所定量変化させるように制御する第２の処理部、および
信号の送受信の内容・履歴から受信の失敗を判定して、受信の失敗であると判定した場合に上記素子値を所定量変化させるように制御する第３の処理部、
のうち、少なくとも一つの処理部を有する
請求項９記載の情報機器。
【請求項１４】
上記アンテナ回路は、
上記アンテナインダクタと同調回路を形成する同調キャパシタを有し、
上記誤り検出回路は、信号誤りを検出したときに、上記アンテナインダクタのインダクタンス、および上記同調キャパシタの容量のうち、少なくともいずれかの値を所定量変化するように制御する
請求項９記載の情報機器。
【請求項１５】
上記アンテナ回路は、上記アンテナインダクタと上記キャリア信号源に接続された整合回路を含み、
上記整合回路は、インダクタ、キャパシタ、および抵抗のうちの少なくとも一つの構成素子を含み、
上記誤り検出回路は、信号誤りを検出したときに、上記アンテナインダクタのインダクタンス、上記同調キャパシタの容量、および整合回路の少なくとも一つの構成素子の素子値のうち、少なくともいずれかの値を所定量変化するように制御する
請求項１４記載の情報機器。
【請求項１６】
上記アンテナ回路が受信する信号には負荷変調信号を含む
請求項９から１５のいずれか一に記載の情報機器。
【請求項１７】
上記情報処理機能には通信機能を含む
請求項９から１５のいずれか一に記載の情報機器。
【発明の詳細な説明】
【技術分野】
【０００１】
本発明は、非接触型ＩＣカードと通信可能な通信装置、およびパーソナルコンピュータや携帯電話機等の情報機器に関するものである。
【背景技術】
【０００２】
近年のＩＣカード技術の発展は目覚しいものがあり、鉄道の乗車券、物品の購入、入退出管理等、様々な分野で便利に利用されてきている。
【０００３】
これらのシステムにおいては、ＩＣカード側には電池を持たず、リーダ／ライタ（以下、Ｒ／Ｗと記す）側から送出された電磁波による非接触給電によりＩＣカードを動作させているものが多い（たとえば特許文献１，２，３参照）。
【０００４】
上記アプリケーションのシステムでは、Ｒ／ＷからＩＣカード(下り)方向とＩＣカードからＲ／Ｗ(上り)方向の双方向のデータ伝送が必要である。
そして、下り方向については、Ｒ／Ｗから送出するキャリアをＡＳＫ(Amplitude sift keying)変調することにより目的を果たしている。
【０００５】
一方、上り方向については、ＩＣカードは電源を持っておらず、それ自体からキャリアを送出する機能を有していない。
このため、ＩＣカードは、Ｒ／Ｗから送出されたキャリアをインダクタＬとキャパシタＣの同調回路に接続された負荷抵抗で受け、送出データの"1"/"0"に対応させてその負荷抵抗の値を変化させる、いわゆる「負荷変調方式」によりデータ伝送機能を実現している。
【０００６】
Ｒ／Ｗ側では、ＩＣカード側の負荷抵抗の値の変化に応じて生じるアンテナコイルの電圧変化として検出し、上りデータを再生する。
【特許文献１】特許３４８８１６６号公報
【特許文献２】特開２００４−３５６７６５号公報
【特許文献３】特開２００５−１３６９４４号公報
【発明の開示】
【発明が解決しようとする課題】
【０００７】
上記「負荷変調方式」は、電池を搭載していないＩＣカードからでも簡易な構成で上り方向のデータ伝送が実現できる長所を持っているが、一方、Ｌ・Ｃ結合回路の負荷を切替える方法であるため、原理的に、特定の距離で負荷変調がかからなくなる、いわゆる「ヌル現象」が発生し、上り方向の通信ができなくなるという不都合が発生していた。
以下ヌル現象について図面に関連付けて説明する。
【０００８】
図１は、Ｒ／ＷとＩＣカードの原理的な構成例を示したものである。
【０００９】
Ｒ／Ｗ１は、図１に示すように、アンテナコイル１１、アンテナコイル１１の直列抵抗成分１２、アンテナコイル１１に並列に接続されたキャパシタ１３、整合回路１４、およびキャリア信号源（ＯＳＣ）１５を有する。
また、ＩＣカード２は、アンテナコイル２１、アンテナコイル２１の直列抵抗成分２２、アンテナコイル２１に並列に接続されたキャパシタ２３、アンテナコイル２１とキャパシタ２３に並列に接続された直列接続の負荷抵抗２４，２５、および負荷抵抗２５の両端に接続されたスイッチ（ＳＷ）２６を有する。
なお、Ｌ１はアンテナコイル１１のインダクタンスを、Ｒ１は抵抗成分１２の抵抗値を、Ｃ１はキャパシタ１３の容量を、それぞれ示している。
同様に、Ｌ２はアンテナコイル２１のインダクタンスを、Ｒ２は抵抗成分２２の抵抗値を、Ｃ２はキャパシタ２３の容量を、ＲＬは負荷抵抗２４の抵抗値を、ＲＬ'は負荷抵抗２５の抵抗値を、それぞれ示している。
【００１０】
Ｒ／Ｗ１側のＯＳＣ１５は、たとえば発振周波数ｆｃが１３．５６ＭＨｚのキャリア信号源であり、整合回路１４を介してアンテナコイル１１とキャパシタ１３の並列共振回路を駆動している。
整合回路１４は、ＲＬＣ整合回路として構成可能であるが、図１では一例として、容量Ｃｔのキャパシタ１４ａの１素子のみで構成した例を示している。
【００１１】
Ｒ／Ｗ１側のアンテナコイル１１とＩＣカード２側のアンテナコイル２１は結合係数ｋで電磁的に結合されている。
結合係数ｋはＲ／Ｗ１とＩＣカード２の距離に依存する値であり、距離＝∞のときｋ＝０となる。
【００１２】
ＩＣカード２側においては、アンテナコイル２１とキャパシタ２３による並列共振回路によりＲ／Ｗ１から送られてくるキャリアを抽出し、負荷抵抗２４および２５で終端している。
ＩＣカード２に設けられたスイッチ２６は、負荷変調用の切替スイッチであり、負荷変調信号ＬＭＳの入力の"１"／"０"に従って"オン（ｏｎ）"／"オフ（ｏｆｆ）"動作を行う。
すなわち、スイッチ２６が"ｏｎ"の時には負荷抵抗は抵抗２４（ＲＬ）のみになり、"ｏｆｆ"のときには負荷抵抗は抵抗２４および２５（ＲＬ＋ＲＬ'）に変化するから、Ｒ／Ｗ１側から見たＩＣカード２側の負荷インピーダンスが変化し、その変化分がアンテナコイル１１の両端の電圧Ｖ１の変化となって検出される。
ただし、負荷抵抗ＲＬの変化とアンテナコイル１１の両端の電圧Ｖ１の変化の関係は一律とはならず、距離∝結合係数ｋの値に大きく依存する。
【００１３】
図２〜図４の（Ａ），（Ｂ）は、負荷変調信号ＬＭＳとＲ／Ｗ１側のアンテナコイル１１の両端の電圧Ｖ１の関係を概念的に示したものである。
図２〜図４の（Ａ）がＲ／Ｗ１側のアンテナコイル１１の両端の電圧Ｖ１の波形を示し、図２〜図４の（Ｂ）が負荷変調信号ＬＭＳを示しており、図中のｓｗ-ｏｎはＩＣカード２のスイッチ２６がｏｎ状態にあり、ｓｗ-ｏｆｆはスイッチ２６がｏｆｆ状態にあることを示している。
【００１４】
図２（Ａ），（Ｂ）は、負荷抵抗の値（ＲＬ）とアンテナコイル１１の両端の電圧Ｖ１の値に正相で変化する場合、すなわち負荷抵抗値ＲＬが小さくなったときに電圧Ｖ１も小さくなる場合である。
これは、たとえば後述の各素子値で構成したときｋ＝０．１５の場合に相当する。
【００１５】
図４（Ａ），（Ｂ）は、負荷抵抗の値（ＲＬ）とアンテナコイル１１の両端の電圧Ｖ１の値に逆相で変化する場合、すなわち負荷抵抗値ＲＬが小さくなったときに電圧Ｖ１が大きくなる場合である。
これはたとえば後述の各素子値で構成したときｋ＝０．２５の場合に相当する。
【００１６】
図３（Ａ），（Ｂ）は、負荷抵抗の値（ＲＬ）が変化してもアンテナコイル１１の両端の電圧Ｖ１の値が変化しない場合、すなわちヌル状態である。
これはたとえば後述の各素子値で構成したとき、図２（Ａ）と図４（Ａ）の中間のｋ＝０．２の場合に相当する。
【００１７】
図２（Ａ）および図４（Ａ）の場合には、正相と逆相の違いはあるものの、何れも電圧Ｖ１の振幅は負荷変調信号の"１"／"０"に対応して変化するから、そのほうらく線をＡＳＫ(Amplitude Shift Keying)信号として復調してやれば、Ｒ／Ｗ１側でもとの信号を再生することが可能である。
しかしながら、図３（Ａ）のヌル状態では、電圧Ｖ１の振幅は一定のままで変化しないことから、Ｒ／Ｗ１側での信号復調は不可能となる。
【００１８】
図５は、ｆｃ＝１３．５６ＭＨｚ、Ｃｔ＝４０ｐＦ、Ｃ１＝３０ｐＦ、Ｌ１＝１５３０ｎＨ、Ｌ２＝１２００ｎＨ、ＲＬ＝１ｋΩのときのＲ／Ｗ側で検出される負荷変調波形、すなわちＶ１の変化分＝ΔＶ１の様子を示したものである。
図５において、横軸は結合係数ｋを、縦軸はカード側の負荷抵抗の値ＲＬを微小変化させたときの電圧Ｖ１の変化分=ΔＶ１を相対値で示している。
また、図５において、白丸の部分は、負荷抵抗値ＲＬを小さくしたときに電圧Ｖ１も小さくなること(正相)を、黒丸部分は、負荷抵抗値ＲＬを小さくしたときに電圧Ｖ１は逆に大きくなること(逆相)を表している。
【００１９】
図中、Ａ点はｋ＝０．１５で、ＲＬ変化とΔＶ１の関係が正相であり、図２（Ａ）の場合に相当する。
Ｃ点はｋ＝０．２５で、ＲＬ変化とΔＶ１の関係が逆相であり、図４（Ａ）の場合に相当する。
Ｂ点はｋ＝０．２で、ＲＬが変化してもＶ１は変化しないヌル点であり、図３（Ａ）の場合に相当する。
【００２０】
本発明は、本来特定の距離において発生するヌル現象が防止でき、その結果安定で信頼性の高いＩＣカード通信を実現することが可能な通信装置および情報機器を提供することにある。
【課題を解決するための手段】
【００２１】
本発明の第１の観点の通信装置は、少なくともアンテナインダクタを通信にかかわる構成素子として含むアンテナ回路と、上記アンテナ回路のアンテナインダクタを駆動するために当該アンテナ回路に接続され、所定周波数のキャリアを発生するキャリア信号源と、上記アンテナインダクタに誘起された信号を受信し復調する信号受信回路と、上記信号受信回路の復調出力の信号誤りを検出する機能を有する誤り検出回路と、を備え、上記アンテナ回路は、上記構成素子の少なくとも一つの素子値が変更可能に形成され、上記誤り検出回路は、信号誤りを検出したときに、上記アンテナ回路の通信にかかわる構成素子の少なくともいずれか一つの素子値を所定量変化させるように制御する。
【００２２】
本発明の第２の観点は、情報処理機能を有する情報機器であって、リーダライタ機能を有する通信装置を含み、上記通信装置は、少なくともアンテナインダクタを通信にかかわる構成素子として含むアンテナ回路と、上記アンテナ回路のアンテナインダクタを駆動するために当該アンテナ回路に接続され、所定周波数のキャリアを発生するキャリア信号源と、上記アンテナインダクタに誘起された信号を受信し復調する信号受信回路と、上記信号受信回路の復調出力の信号誤りを検出する機能を有する誤り検出回路と、を備え、上記アンテナ回路は、上記構成素子の少なくとも一つの素子値が変更可能に形成され、上記誤り検出回路は、信号誤りを検出したときに、上記アンテナ回路の通信にかかわる構成素子の少なくともいずれか一つの素子値を所定量変化させるように制御する。
【００２３】
好適には、上記誤り検出回路は、上記信号受信回路の復調信号の波形品質の良否を判定して、当該波形品質が良い状態でないと判定した場合に上記素子値を所定量変化させるように制御する。
【００２４】
好適には、上記誤り検出回路は、受信信号内のデータに誤りがあるか否かを判定して、データ誤りがある場合に上記素子値を所定量変化させるように制御する。
【００２５】
好適には、上記誤り検出回路は、信号の送受信の内容・履歴から受信の失敗を判定して、受信の失敗であると判定した場合に上記素子値を所定量変化させるように制御する。
【００２６】
好適には、上記誤り検出回路は、上記信号受信回路の復調信号の波形品質の良否を判定して、当該波形品質が良い状態でないと判定した場合に上記素子値を所定量変化させるように制御する第１の処理部、受信信号内のデータに誤りがあるか否かを判定して、データ誤りがある場合に上記素子値を所定量変化させるように制御する第２の処理部、および信号の送受信の内容・履歴から受信の失敗を判定して、受信の失敗であると判定した場合に上記素子値を所定量変化させるように制御する第３の処理部、のうち、少なくとも一つの処理部を有する。
【００２７】
好適には、上記アンテナ回路は、上記アンテナインダクタと同調回路を形成する同調キャパシタを有し、上記誤り検出回路は、信号誤りを検出したときに、上記アンテナインダクタのインダクタンス、および上記同調キャパシタの容量のうち、少なくともいずれかの値を所定量変化するように制御する。
【００２８】
好適には、上記アンテナ回路は、上記アンテナインダクタと上記キャリア信号源に接続された整合回路を含み、上記整合回路は、インダクタ、キャパシタ、および抵抗のうちの少なくとも一つの構成素子を含み、上記誤り検出回路は、信号誤りを検出したときに、上記アンテナインダクタのインダクタンス、上記同調キャパシタの容量、および整合回路の少なくとも一つの構成素子の素子値のうち、少なくともいずれかの値を所定量変化するように制御する。
【発明の効果】
【００２９】
本発明によれば、本来特定の距離において発生するヌル現象が防止でき、その結果安定で信頼性の高いＩＣカード通信を実現することが可能となる。
【発明を実施するための最良の形態】
【００３０】
以下、本発明の実施形態を図面に関連付けて説明する。
【００３１】
図６は、本発明の実施形態に係る携帯情報機器としての携帯電話機が適用される通信システムの構成例を示す図である。
【００３２】
図６に示す通信システム１００は、携帯電話機１１０と、外部の非接触型ＩＣカード１２０と、基地局１３０と、通信網１４０と、サーバ１５０とにより構成されている。
【００３３】
本実施形態の携帯電話機１１０は、たとえばＲ／Ｗ（リーダライタ）機能を内蔵しており、搭載されたＲ／Ｗ機能は、外部の非接触型ＩＣカード１２０からの応答(信号)を受信すると、この非接触型ＩＣカード１２０との間で無線通信を行って、コネクションを確立させる。
非接触型ＩＣカード１２０とのコネクションが確立すると、携帯電話機１１０は、所定の通信方式に従った無線通信により基地局１３０から通信網１４０を経由してサーバ１５０に接続し、非接触型ＩＣカード１２０とサーバ１５０との通信を中継する。
両者の相互認証が成功すると、携帯電話機１１０に搭載されたＲ／Ｗ機能は、サーバ１５０からの指示に従って、非接触型ＩＣカード１２０に格納される情報を読出す処理や、非接触型ＩＣカード１２０に新たな情報を書き込む処理を行う。
【００３４】
図７は、本実施形態に係る携帯電話機の基本的な構成例を示すブロック図である。
【００３５】
本携帯電話機１１０は、図７に示すように、通信網１４０を介してサーバ１５０との無線通信処理を行う無線通信部１１１、液晶表示デバイス(ＬＣＤ)等により構成される表示部１１２、テンキー等の操作キーを含む操作部１１３、マイクロフォンやスピーカを有し音声入力処理または音声出力処理を行う音声処理部１１４、プログラムやメッセージデータ、アドレスデータ、ＩＣカード用データ等を記憶するメモリ部１１５、Ｒ／Ｗ機能を実現するためのフロントエンド回路部を形成する通信装置１１６、および携帯電話機１１０の全体的な機能制御やＲ／Ｗ機能を実現するためのモード制御や送信データＴＤ、受信データＲＤに対する所定の処理やそれに応じたメモリ部１１５へのアクセスを行う制御部（ＣＰＵ）１１７を有する。
【００３６】
無線通信部１１１、表示部１１２、操作部１１３、音声処理部１１４、メモリ部１１５、および制御部１１７により、通常の携帯電話としての電話部が構成される。
また、通信装置１１６、メモリ部１１５、および制御部１１７によりＲ／Ｗ機能を実現するカード機能部が構成される。
また、モードの指定、切り替え等は操作部１１３の操作に応じて制御部１１７の制御により行うように構成可能である。
この際、制御部１１７は、通信装置１１６に対して、たとえば制御信号と送信データＴＤを出力し、受信データＲＤを受けてメモリ部１１５への格納処理等を行う。メモリ部１１５は、フラッシュメモリ等の不揮発性メモリを含んで構成される。
なお、制御部１１７は、電話部とカード機能部とで個別に設けるような構成にすることも可能である。
【００３７】
図８は、本発明の実施形態に係る携帯電話機に搭載されるＲ／Ｗ機能を内蔵した通信装置の一構成例を示す図である。
なお、図８においては、図７の通信装置１１６を符号２００を用いて表している。
【００３８】
図８の通信装置２００は、アンテナ回路（アンテナ・フロントエンド）２１０、発振周波数ｆｃが１３．５６ＭＨｚのキャリアを発生するキャリア信号源（ＯＳＣ）２２０、信号受信回路２３０、および誤り検出回路２４０を有し、これらの構成要素によりＲ／Ｗ機能の一部を実現している。
通信装置２００のＯＳＣ２２０は、整合回路２１４を介してアンテナコイル２１１とキャパシタ２１３の並列共振回路を駆動している。
本実施形態によれば、通信状態に応じてＲ／Ｗ送信回路の出力インピーダンスを切り替えるため、対向するＩＣカードの種類が複数種類であったり、ICカードとの距離が変化しても、安定した近接無線通信が可能となる。
【００３９】
アンテナ回路２１０は、図８に示すように、アンテナコイル２１１、アンテナコイル２１１の直列抵抗成分２１２、アンテナコイル２１１に並列に接続されたキャパシタ２１３、およびたとえばキャパシタ２１４ａにより形成される整合回路２１４を有する。
整合回路２１４は、ＲＬＣ整合回路として構成可能であるが、図８では一例として、容量Ｃｔのキャパシタ２１４ａの１素子のみで構成した例を示している。
また、抵抗２１２の一端、キャパシタ２１３の一方の電極、および整合回路２１４ｔの接続点によりノードＮＤ１が形成され、このノードＮＤ１が信号受信回路２３０の入力に接続されている。
なお、図中、Ｌ１１はアンテナコイル２１１のインダクタンスを、Ｒ１１は抵抗成分２１２の抵抗値を、Ｃ１１はキャパシタ２１３の容量を、Ｃｔは整合回路２１４のキャパシタ２１４ａの容量をそれぞれ示している。
【００４０】
図８において、アンテナコイル２１１のインダクタンスＬ１１、抵抗成分２１２の抵抗値Ｒ１１、キャパシタ２１３の容量Ｃ１１、整合回路２１４のキャパシタ２１４ａの容量Ｃｔを、破線で示す誤り検出回路２４０からの制御信号により少なくとも一つを調整可能に示しているが、これは以下の理由による。
【００４１】
近接形ＩＣカードの上り方向(ＩＣカードからＲ／Ｗ方向)通信では、カード内の負荷抵抗値を切替えることによりＲ／Ｗのアンテナコイル端の電圧を変化させてデータ通信を行ういわゆる負荷変調を採用しているが、理論的に負荷変調がかからなくなる距離(ヌル点)が存在する。
本実施形態において、このヌル点を回避するため、Ｒ／Ｗ側の誤り検出回路２４０で受信波形の品質検査を行い、品質が劣化したと判定したときには、アンテナコイル２１１、抵抗成分２１２、キャパシタ２１３により形成されるアンテナ同調回路や整合回路２１４のＬＣＲ素子の何れかの値を変化させてヌル点を脱出するように制御することにより通信品質を向上させる。
このために、アンテナコイル２１１のインダクタンスＬ１１、抵抗成分２１２の抵抗値Ｒ１１、キャパシタ２１３の容量Ｃ１１、整合回路２１４のキャパシタ２１４ａの容量Ｃｔを、破線で示す誤り検出回路２４０からの制御信号により少なくとも一つを調整可能に示している。
換言すれば、たとえば誤り検出回路２４０が信号誤りを検出したときにはアンテナコイル２１１のインダクタンスＬ１１、キャパシタ２１３の容量Ｃ１１、ＲＬＣ整合回路のコイルやキャパシタ、抵抗の何れかの素子値を所定量変化させるよう制御する。
この可変とするインダクタンスや容量、抵抗値等のパラメータは、いずれか一つでもよく、あるいはこれらの２つまたはそれ以上を組み合わせて可変とするように構成することも可能である。
以下では、一例として整合回路２１４のキャパシタ２１４ａの容量Ｃｔを変化させてヌル点を脱出するよう制御する場合を例に説明する。
【００４２】
図９は、本実施形態に係るＩＣカードの構成例を示す回路図である。
【００４３】
また、ＩＣカード１２０は、アンテナコイル１２１、アンテナコイル１２１の直列抵抗成分１２２、アンテナコイル１２１に並列に接続されたキャパシタ１２３、アンテナコイル１２１とキャパシタ１２３に並列に接続された直列接続の負荷抵抗１２４，１２５、および負荷抵抗１２５の両端に接続されたスイッチ（ＳＷ）１２６を有する。
図９において、Ｌ１２はアンテナコイル１２１のインダクタンスを、Ｒ１２は抵抗成分１２２の抵抗値を、Ｃ１２はキャパシタ１２３の容量を、ＲＬは負荷抵抗１２４の抵抗値を、ＲＬ'は負荷抵抗１２５の抵抗値を、それぞれ示している。
【００４４】
携帯電話機１１０の通信装置２００（１１６）におけるアンテナコイル２１１とＩＣカード１２０側のアンテナコイル１２１は結合係数ｋで電磁的に結合されている。
結合係数ｋは通信装置２００（Ｒ／Ｗ）側とＩＣカード１２０の距離に依存する値であり、距離＝∞のときｋ＝０となる。
【００４５】
ＩＣカード１２０側においては、アンテナコイル１２１とキャパシタ１２３による並列共振回路により通信装置２００（Ｒ／Ｗ）から送られてくるキャリアを抽出し、負荷抵抗１２４および１２５で終端している。
ＩＣカード１２０に設けられたスイッチ１２６は、負荷変調用の切替スイッチであり、負荷変調信号ＬＭＳの入力の"１"／"０"に従って"オン（ｏｎ）"／"オフ（ｏｆｆ）"動作を行う。
すなわち、スイッチ１２６が"ｏｎ"の時には負荷抵抗は抵抗１２４（ＲＬ）のみになり、"ｏｆｆ"のときには負荷抵抗は抵抗１２４および１２５（ＲＬ＋ＲＬ'）に変化するから、Ｒ／Ｗ側から見たＩＣカード１２０側の負荷インピーダンスが変化し、その変化分がアンテナコイル２１１の両端の電圧Ｖ１の変化となって検出される。
ただし、負荷抵抗ＲＬの変化とアンテナコイル２１１の両端の電圧Ｖ１の変化の関係は一律とはならず、距離∝結合係数ｋの値に大きく依存する。
【００４６】
ここで、図８の構成の説明に戻る。
信号受信回路２３０は、ＩＣカード１２０側からの負荷変調信号をアンテナコイル２１１で受けて発生したノードＮＤ１の電圧Ｖ１を入力とし、その振幅変化ΔＶ１（ほうらく線)をデジタルの"１"／"０"信号に変換するＡＳＫ復調回路を含んで構成される。
このＡＳＫ復調回路については、種々の技術で容易に構成可能である。
【００４７】
誤り検出回路２４０は、信号受信回路２３０のＡＳＫ復調波形を検査し、所定の品質を満足するかどうかを判定する機能を有し、たとえば信号誤りを検出したときにはアンテナコイル２１１のインダクタンスＬ１１、キャパシタ２１３の容量Ｃ１１、ＲＬＣ整合回路２１４のコイルやキャパシタ、抵抗の何れかの素子値を所定量変化させるよう制御する制御信号Ｓ２４０をアンテナ回路２１０の所定の可変素子に出力する。
【００４８】
誤り検出回路２４０における誤り検出の判断項目としては、一般的には受信信号のジッタ、デューティ（duty）、同期エラー、サイクリックコードエラー等々が考えられるが、これ以外の項目であっても良い。
【００４９】
誤り検出回路２４０が、アンテナ回路（アンテナ・フロントエンド）のパラメータ（上記「Ｌ１」あるいは「Ｒ１」あるいは「Ｃ１」あるいは「ＲＬＣ整合回路」のコイルやキャパシタや抵抗の何れかの素子値）を変化させる制御方法には、大きく分けて、以下の３種の方法がある。なお、以下明において制御対象の素子のパラメータをフロントエンド・パラメータとして説明する。
【００５０】
１）：ＡＳＫベースバンド復調信号の波形品質の良否を判定して、フロントエンド・パラメータを制御する（第１判定基準）。
２）：受信パケットデータ内のデータ誤りを判定して、フロントエンド・パラメータを制御する（第２判定基準）。
３）：送受信の内容・履歴から受信の失敗を判定して、フロントエンド・パラメータを制御する（第３判定基準）。
【００５１】
また、これらの第１、第２、および第３の判定基準を複合的に組み合わせて、フロントエンド・パラメータを制御することも可能である。
以下、判定基準についてさらに詳細に説明する。
【００５２】
判定基準の説明の前に、近接ＩＣカード通信に適用されるパケットのフォーマットについて説明する。
図１０は、近接ＩＣカード通信に適用されるパケットデータのフォーマット例を示す図である。
【００５３】
このパケット３００は、少なくとも４８ビットの論理０のデータを含む前置符号（プリアンブル）領域（Preamble）３１０、２バイトの同期符号領域（ＳＹＮＣ）３２０、ペイロードの長さがセットされる８ビットのレングス領域(Length)３３０、ｎ個のバイト領域を含むペイロード領域(Payload)３４０、および巡回冗長検査領域（ＣＲＣ：Cyclic Redundancy Check）３５０を含んで形成されている。
【００５４】
＜第１判定基準＞
第１判定基準においては、ＡＳＫベースバンド復調信号の波形品質を判定して、フロントエンド・パラメータを制御する。
誤り検出回路２４０は、第１判定基準を用いて、受信時に、ＡＳＫベースバンド復調信号の波形品質に関する判定をフィードバックして、アンテナ回路２１０のフロントエンド・パラメータを制御して無線受信環境を制御することで、受信波形品質を良い状態に安定させて、正常受信を可能とする。
【００５５】
たとえば、伝送路符号としてマンチェスタ符号が採用されている場合、受信信号のＡＳＫベースバンド復調信号の波形をモニタ（サンプリング）した際に、ビットレート基準で見て、長すぎるロー（Low：Ｌ）幅およびハイ（High：Ｈ）幅、および、短すぎるLow幅およびHigh幅が存在する場合は、マンチェスタ符号としての品質の良い復調データが、得られていないと判断できる。
具体的には、ビットレートが２１２ｋｂｐｓ（１ビット当たり約４．７μｓ）の場合、Low幅およびHigh幅は、約２．３μｓ〜４．８μｓの長さ（時間）に収まるはずであり、波形をモニタ（サンプリング）した際に、これから外れる場合は、品質の良いマンチェスタ符号波形が得られていないと判断できる。
【００５６】
図１１（Ａ），（Ｂ）はマンチェスタ符号波形の品質の判定論理の一例を示す図であって、図１１（Ａ）が品質の良いマンチェスタ符号波形を示し、図１１（Ｂ）が品質の悪いマンチェスタ符号波形を示している。
【００５７】
図１１（Ａ）の品質の良いマンチェスタ符号波形の場合、誤り検出回路２４０は、サンプリング値のハイレベルおよびローレベルの連続数（幅に相当）が３〜６であり、受信波形品質が良い状態であると判定する。
図１１（Ｂ）の品質の悪いマンチェスタ符号波形の場合、誤り検出回路２４０は、サンプリング値のハイレベルおよびローレベルの連続数（幅に相当）が１〜８であり、受信波形品質が良くない状態であると判定する。
【００５８】
実際に、問題となる「ヌル」の状態においては、受信ベースバンド復調信号をモニタすると、Low幅およびHigh幅が規定の長さ（時間）に収まらず、マンチェスタ符号の形式に充分に則っていない波形を示す場合が多く、品質の良いマンチェスタ符号波形が得られていないと判定できる。
逆に、「非ヌル（正常）」の状態においては、受信ベースバンド復調信号をモニタすると、Low幅およびHigh幅が規定の長さ（時間）に収まった正しいマンチェスタ符号形式の波形を示し、正常受信が可能となっている。
【００５９】
第１判定基準を採用する通信装置２００は、受信時に、ＡＳＫベースバンド復調信号の波形をモニタ（サンプリング）し、マンチェスタ符号の波形品質に関する情報・判定をフィードバックして、アンテナ・フロントエンドのパラメータを制御して無線受信環境を制御することで、受信時のマンチェスタ符号波形の品質を良い状態に安定させて、正常受信を可能とするものである。
より具体的には、ある一定の期間（例：数ビットレート期間）、波形をモニタ（サンプリング）し、Low幅およびHigh幅が規定の長さ（時間）に収まっていない場合、アンテナ・フロントエンドのパラメータを現在の状態とは別の状態に切り替え、再度、波形をモニタ（サンプリング）して、規定に則っているか判定する。
この繰り返し制御により、最終的には、波形品質が良い状態を実現できるパラメータに固定・安定させる。
【００６０】
また、図１２は、データ波形品質の判定によるフロントエンド・パラメータ制御例を示す図である。
【００６１】
また、この繰り返し制御により、最終的には、波形品質が良い状態を実現できるパラメータに固定・安定させる際、通信パケット構造として、前置符号（プリアンブル）が付加された形式の場合、その前置符号（プリアンブル）期間中にパラメータ制御が充分に完結できる特性であれば、図１２に示すように、その期間中に、パラメータの設定を完結・固定させ、データ本体の受信中に不用意なパラメータ変更を防ぐことで、安定した無線受信環境を維持する。
【００６２】
＜第２判定基準＞
第２判定基準においては、受信パケットデータ内のデータ誤りを判定して、フロントエンド・パラメータを制御する。
誤り検出回路２４０は、第２判定基準を用いて、受信パケットデータの誤り検出に関する判定をフィードバックして、アンテナ回路２１０のフロントエンド・パラメータを制御して無線受信環境を制御することで、受信波形品質を良い状態に安定させて、正常受信を可能とする。
【００６３】
通常、この手のパケットデータには、前述したようにＣＲＣ（Cyclic Redundancy Check：巡回冗長検査）、パリティ・チェック、チェックサム 等の誤り検出符号が付加されており、受信側にてパケットデータ内のこれらの符号を検査することにより、データを正しく受信できたかどうかを判断できる。
【００６４】
実際に、問題となる「ヌル」の状態においては、受信側でパケットデータ内の誤り検出符号を検査した結果、受信パケットデータ内に誤りが有ることが判明する場合が多く、データを正しく受信できていないと判定できる。
逆に「非ヌル」の状態においては、受信側でパケットデータ内の誤り検出符号を検査した結果、誤りが発生することは無く、正常受信が可能となっている。
【００６５】
第２判定基準を採用する通信装置２００は、受信パケットデータの誤り検出に関する情報・判定をフィードバックして、アンテナ・フロントエンドのパラメータを制御して無線受信環境を制御することで、次回の受信時のデータ誤りの発生を無くし、正常受信を可能とするものである。
【００６６】
図１３は、データ誤り検出の判定によるフロントエンド・パラメータ制御例を示す図である。
【００６７】
より具体的には、図１３に示すように、ある一回のパケット受信において、受信側でパケットデータ内の誤り検出符号を検査した結果、データ誤りが発生したことが判明した場合、アンテナ・フロントエンドのパラメータを現在の状態とは別の状態に切り替えて、次回の受信に備える。
逆に、ある一回のパケット受信において誤り検出符号を検査した結果、データ誤りが無いことが判明した場合、パラメータを現在の状態のまま維持して、次回の受信に備える。
この繰り返し制御により、安定した無線受信環境を維持する。
【００６８】
＜第３判定基準＞
第３判定基準においては、送受信の内容・履歴から受信の失敗を判定して、フロントエンド・パラメータを制御する。
誤り検出回路２４０は、第３判定基準を用いて、Ｒ／Ｗ（リーダ／ライタ）と対向ＩＣカード１２０間のパケットデータの送受信の内容・履歴を監視しておき、対向ＩＣカード１２０からパケットデータが返信されると期待される期間において、受信回路２３０側がそれを受信できなかった場合、誤り検出回路２４０は受信の失敗と判定し、その判定をフィードバックして、アンテナ回路２１０のフロントエンド・パラメータを制御して無線受信環境を制御することで、受信波形品質を良い状態に安定させて、正常受信を可能とする。
【００６９】
通常、この種のパケットデータには、前述したように、規定により定められた通信開始の識別符号（同期符号：ＳＹＮＣ）が付加されており、受信側にてこれを検出することでパケットデータの開始箇所を特定して、パケットデータ全体を正しく受信できる。
しかしながら、無線受信環境が著しく悪い状態であると、この通信開始の識別符号（同期符号）が検出できず、対向側から返信があったかどうかさえも認識できない。
この場合、通常は返信の存在自体さえも認識できないので、前述したデータ誤り検出の場合よりも深刻である。
実際に、問題となる「ヌル」の状態においては、対向ＩＣカード１２０側から返信があるにもかかわらず、受信側で通信開始の識別符号を検出できずに受信が開始できない場合もあることが分っている。
【００７０】
図１４は、受信失敗の判定によるフロントエンド・パラメータ制御例を示す図である。
【００７１】
第３判定基準を採用する通信装置２００は、Ｒ／Ｗ（リーダ／ライタ）と対向ＩＣカード１２０間のパケットデータの送受信内容・履歴を監視しておき、対向ＩＣカード１２０からパケットデータが返信されると期待される期間において、誤り検出回路２４０が通信開始の識別符号を検出できなかった場合、受信の失敗と判定する。その場合、誤り検出回路２４０は、アンテナ回路２１０のフロントエンド・パラメータを現在の状態とは別の状態に切り替えて、次回の受信に備える。逆に、受信が成功した場合、パラメータを現在の状態のまま維持して、次回の受信に備える。
この繰り返し制御により、安定した無線受信環境を維持する。
【００７２】
より具体的には、以下の様な基準にて、受信の失敗と判定する。
・相互通信全体の最初のパケット送信である「ポーリング」を送った場合、タイムアウト規定時間内に、パケット受信できない（返信パケットの開始識別符号を検出できない）場合、
・送信を複数回（相当数）繰り返しても、パケット受信できない（返信パケットの開始識別符号を検出できない）場合、
である。
【００７３】
図１５は、本実施形態に係る誤り検出回路の構成例を示すブロック図である。
【００７４】
図１５の誤り検出回路２４０は、前述した第１判定基準、第２判定基準、および第３判定基準を採用した場合に対応可能に構成されている。
【００７５】
具体的には、誤り検出回路２４０は、データ整形器２４１、パケット同期符号検出器２４２、パケットデータ出力器２４３、パケット内データ誤り検出器２４４、およびフロントエンド・パラメータ調節器２４５を有する。
【００７６】
データ整形器２４１は、データ位相検出器２４１１、およびデータ波形品質判定器２４１２を有する。
データ位相検出器２４１１は、信号受信回路２３０においてＡＳＫ復調された受信パケットデータの位相を検出して、パケット同期符号検出器２４２に出力する。
データ波形品質判定器２４１２は、信号受信回路２３０においてＡＳＫ復調された受信パケットデータを受けて、既に詳述した第１判定基準に従って、ＡＳＫベースバンド復調信号の波形品質の良否を判定して、その判定結果を信号Ｓ２４１２としてフロントエンド・パラメータ調節器２４５に出力する。
【００７７】
パケット同期符号検出器２４２は、データ位相検出器２４１１によるパケットデータを受けて、既に詳述した第３判定基準に従って、送受信の内容（あるいは履歴）から受信の失敗を判定して、その判定結果を信号Ｓ２４２としてフロントエンド・パラメータ調節器２４５に出力する。
パケット同期符号検出器２４２は、パケットデータに同期符号ＳＹＮＣの検出を行い、同期符号を検出できない場合には、受信の失敗と判定する。
パケット同期符号検出器２４２は、パケットデータに同期符号ＳＹＮＣの検出を行い、同期符号を検出できた場合には、受信の失敗でないと判定し、パケットデータをパケットデータ出力器２４３に出力する。
【００７８】
パケットデータ出力器２４３は、受信したパケットデータをパケット内データ誤り検出器２４４に出力し、また、制御部１１７にも出力する。
【００７９】
パケット内データ誤り検出器２４４は、パケットデータ出力器２４３によるパケットデータを受けて、既に詳述した第２判定基準に従って、受信したパケットデータに誤りがあるか否かをＣＲＣ等により判定し、その判定結果を信号Ｓ２４４としてフロントエンド・パラメータ調節器２４５に出力する。
【００８０】
フロントエンド・パラメータ調節器２４５は、データ波形品質判定器２４１２の判定信号Ｓ２４１２がＡＳＫベースバンド復調信号の波形品質が悪い状態であるとしている場合、パケット同期符号検出器２４２の検出信号Ｓ２４２が同期符号を検出できず受信の失敗であるとしている場合、あるいは、パケット内データ誤り検出器２４４の判定信号Ｓ２４４が受信したパケットデータに誤りがあったとして場合には、ヌル状態であるものとし推定して、制御信号Ｓ２４０をアンテナ回路２１０に出力し、フロントエンド・パラメータを所定値だけ変化するように調節する。
【００８１】
そして、第１の処理部がフロントエンド・パラメータ調節器２４５とデータ波形品質判定器２４１２を含んで構成され、第２の処理部がフロントエンド・パラメータ調節器２４５とパケット内データ誤り検出器２４４を含んで構成され、第３の処理部がフロントエンド・パラメータ調節器２４５とパケット同期符号検出器２４２を含んで構成される。
【００８２】
以上のように、本実施形態の通信装置２００は、誤り検出回路２４０により、たとえば受信信号波形が所定の品質以下であると判断された場合には、その出力制御信号Ｓ２４０により、アンテナ回路２１０の通信機能にかかわる構成素子のフロントエンド・パラメータ、すなわち、アンテナコイル２１１のインダクタンスＬ１１、抵抗成分２１２の抵抗値Ｒ１１、キャパシタ２１３の容量Ｃ１１、整合回路２１４のキャパシタ２１４ａの容量Ｃｔの何れかの値が、予め設定された値だけ変化するように制御される。
制御する対象素子は何れか１つのみであっても、複数個同時であっても良いが、通常、Ｌ１、Ｃ１、Ｒ１はアンテナコイル形状に直接関係する値であり、制御が複雑になるので、簡単に制御可能な整合回路２１４のキャパシタ２１４ａの容量Ｃｔを変化させる場合を例にとって以下説明する。
【００８３】
今仮にＩＣカード１２０とＲ／Ｗが図３（Ａ）や図５のＢ点のようなヌル状態に陥ったとすると、信号受信回路２３０はＩＣカード１２０側からの負荷変調信号を正常に受信できないので、誤り検出回路２４０は"誤り状態"であることを検出する。
この誤り状態の表示にはいろいろな方法があるが、最も単純には、誤りを１ビットの論理情報で出力し、誤りを１度検出する毎に出力論理信号の"１／０"を反転させる方法を採用することができる。
この"１"／"０"情報によりＲＬＣ整合回路２１４のキャパシタ２１４ａの容量Ｃｔの値を２段階に変化させる。
変化させるＣｔの２段階の値を適切に選択・設定することにより、ヌルで誤りのある状態からこれを回避した正常受信状態に移行することが可能となる。
【００８４】
図１６は、図５と全く同じ条件で、Ｃｔの値のみをＣｔ＝４０ｐＦから４４ｐＦに変更したときのＲ／Ｗ側で検出される負荷変調波形、すなわちＶ１の変化分=ΔＶ１の様子を示したものである。
図５と比較すると、Ｃｔ＝４０ｐＦのときにはｋ＝０．２にあったヌルが、Ｃｔ＝４４ｐＦではｋ＝０．１５に移動し、もとのヌルであったｋ＝０．２の位置では逆相の信号が十分に受信できる状態に変化していることが分かる。
【００８５】
Ｃｔの値を制御=変化させる具体的な方法はどのようなものであっても良いが、簡単なものとしては、外部印加電圧によって容量値が変る可変容量ダイオード素子を使用する方法が採用できる。
【００８６】
他の方法としては、たとえば図１７に示すように、容量がＣｔ１，Ｃｔ２の２種類のキャパシタ２１４Ａ−１，２１４Ａ−２をスイッチ（ＳＷ）２１５Ａで切替える方法、あるいは図１８に示すように，直列接続した２つのキャパシタ２１４Ｂ−１，２１４Ｂ−２の一方をスイッチ２１５Ｂで短絡する方法等を採用することができる。
【００８７】
この場合、総容量値Ｃｔは、図１８の構成ではスイッチ２１５Ａが上側のときキャパシタ２１４Ａ−１の容量Ｃｔ１、下側のときキャパシタ２３１Ａー２の容量Ｃｔ２、図１９の構成ではスイッチ２１５ＢがｏｎのときＣｔ１、ｏｆｆのときCt1*Ct2/(Ct1+Ct2)となる。
何れにしても、ヌルが発生するｋの値、すなわち距離範囲は非常に狭い範囲であることから、素子値を少しだけ変化させてやれば正常通信状態に切替えることができる。
【００８８】
以上の例では、最も簡単に実現できる、素子値を２値のみに切替える構成を説明したが、３値以上の複数値切替でも同様の効果は実現できるし、場合によっては誤り検出回路の検出結果を多段階評価し、最も通信特性の良いものに切替える手段をとれば、より高い効果も期待できる。
【００８９】
また上記例では、ＲＬＣ整合回路をキャパシタＣｔの１素子のみで構成した例を示したが、Ｌ１やＣ１の素子値の選定次第では、図１９（Ａ）〜（Ｃ）に示すように、キャパシタの代りにインダクタ素子で構成することもできるし、場合によっては例えば複数のキャパシタやインダクタ２１６や抵抗素子２１７を組合せて構成することも可能である。
複数素子で構成した場合、素子値を変化させるのはそのうちの特定の１個のみでも良いし、複数個を同時に変化させても良い。
【００９０】
なお、本実施形態においては、情報機器として携帯電話機を一例として説明したが、本発明は携帯電話機の他の携帯端末（ＰＤＡ等）、あるいはパーソナルコンピュータ等に適用可能である。
【００９１】
以上のように、近接形ＩＣカードの上り方向(カードからＲ／Ｗ)通信では、カード内の負荷抵抗値を切替えることによりリーダライタのアンテナ端の電圧を変化させてデータ通信を行う所謂負荷変調を採用しているが、理論的に負荷変調がかからなくなる距離(ヌル点)が存在する。
本実施形態においては、このヌル点を回避するため、リーダライタ側で受信波形の品質検査を行い、品質が悪化したときには、アンテナ同調回路や整合回路のＬＣＲ素子の何れかの値を変化させてヌル点を脱出するよう制御することにより通信品質を向上させることができる。
【図面の簡単な説明】
【００９２】
【図１】Ｒ／ＷとＩＣカードの原理的な構成例を示したものである。
【図２】負荷変調信号とＲ／Ｗ側のアンテナコイルの両端の電圧Ｖ１の関係を概念的に示す図であって、負荷抵抗値が小さくなったときに電圧Ｖ１も小さくなる場合を示す図である。
【図３】負荷変調信号とＲ／Ｗ側のアンテナコイルの両端の電圧Ｖ１の関係を概念的に示す図であって、負荷抵抗値が変化しても電圧Ｖ１の値が変化しないヌル状態を示す図である。
【図４】負荷変調信号とＲ／Ｗ側のアンテナコイルの両端の電圧Ｖ１の関係を概念的に示す図であって、負荷抵抗値が小さくなったときに電圧Ｖ１が大きくなる場合を示す図である。
【図５】ｆｃ＝１３．５６ＭＨｚ、Ｃｔ＝４０ｐＦ、Ｃ１＝３０ｐＦ、Ｌ１＝１５３０ｎＨ、Ｌ２＝１２００ｎＨ、ＲＬ＝１ｋΩのときのＲ／Ｗ側で検出される負荷変調波形を示す図である。
【図６】本発明の実施形態に係る携帯情報機器としての携帯電話機が適用される通信システムの構成例を示す図である。
【図７】本実施形態に係る携帯電話機の基本的な構成例を示すブロック図である。
【図８】本発明の実施形態に係る携帯電話機に搭載されるＲ／Ｗ機能を内蔵した通信装置の一構成例を示す図である。
【図９】本実施形態に係るＩＣカードの構成例を示す回路図である。
【図１０】近接ＩＣカード通信に適用されるパケットデータのフォーマット例を示す図である。
【図１１】マンチェスタ符号波形の品質の判定論理の一例を示す図である。
【図１２】データ波形品質の判定によるフロントエンド・パラメータ制御例を示す図である。
【図１３】データ誤り検出の判定によるフロントエンド・パラメータ制御例を示す図である。
【図１４】受信失敗の判定によるフロントエンド・パラメータ制御例を示す図である。
【図１５】本実施形態に係る誤り検出回路の構成例を示すブロック図である。
【図１６】図５と全く同じ条件で、Ｃｔの値のみをＣｔ＝４０ｐＦから４４ｐＦに変更したときの通信装置（Ｒ／Ｗ）側で検出される負荷変調波形、すなわちＶ１の変化分=ΔＶ１の様子を示す図である。
【図１７】整合回路の容量値の第１の切り替え構成例を示す図である。
【図１８】整合回路の容量値の第１の切り替え構成例を示す図である。
【図１９】整合回路の他の構成例を示す図である。
【符号の説明】
【００９３】
１００・・・通信システム、１１０・・・携帯電話機、１１５・・・メモリ部、１１６・・・通信装置、１１７・・・制御部、１２０・・・非接触型ＩＣカード、１３０・・・基地局、１４０・・・通信網、１５０・・・サーバ、２００・・・通信装置、２１０・・・アンテナ回路、２１１・・・アンテナコイル、２１２・・・直列抵抗成分、２１３・・・キャパシタ、２１４，２１４Ａ〜２１４Ｅ・・・整合回路、２１４ａ、２１４Ａ−１，２１４Ａ−２、２１４Ｂ−１，２１４Ｂ−２、２１４Ｄ−１，２１４Ｄ−２、２１４Ｅ−１，２１４Ｅ−２・・・キャパシタ、２１６・・・インダクタ、２１７・・・抵抗、２２０・・・キャリア信号源（ＯＳＣ）、２３０・・・信号受信回路、２４０・・・誤り検出回路、２４１・・・データ整形器、２４１１・・・データ位相検出器、２４１２・・・データ品質判定器、２４２・・・パケット同期符号検出器、２４３・・・パケットデータ出力器、２４４・・・パケット内データ誤り検出器、２４５・・・フロントエンド・パラメータ調節器。
【図１】
2008017012.tif 000003
【図２】
2008017012.tif 000004
【図３】
2008017012.tif 000005
【図４】
2008017012.tif 000006
【図５】
2008017012.tif 000007
【図６】
2008017012.tif 000008
【図７】
2008017012.tif 000009
【図８】
2008017012.tif 000010
【図９】
2008017012.tif 000011
【図１０】
2008017012.tif 000012
【図１１】
2008017012.tif 000013
【図１２】
2008017012.tif 000014
【図１３】
2008017012.tif 000015
【図１４】
2008017012.tif 000016
【図１５】
2008017012.tif 000017
【図１６】
2008017012.tif 000018
【図１７】
2008017012.tif 000019
【図１８】
2008017012.tif 000020
【図１９】
2008017012.tif 000021